(57)【要約】【課題】検査情報を容易に入力できるようにする。【解決手段】項目入力画面生成部２２は、患者に対してなされた検査の選択を、項目入力画面において受け付けると、検査関連項目テーブル５４を参照して、選択を受け付けた検査に対応する検査関連項目（手技、薬品、加算、器材）を入力候補として項目入力画面の右欄に表示する。そして、変更候補抽出部２４は、候補リストの表示要求を受け付けると、今回の検査の情報、患者の属性情報、今回の検査を実施した医師の識別情報を取得し、検査履歴ＤＢ５８から、取得した情報と同一又は類似する情報に対応付けられている検査関連項目を抽出し、変更候補として項目入力画面の中欄に表示する。【選択図】図３
2018156204.tif 000002
【特許請求の範囲】
【請求項１】
ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力し、
出力した前記入力候補を変更する指示を受け付けると、前記ある患者に対してなされた検査の情報、前記ある患者の属性情報、検査を実施した医師の識別情報の少なくとも１つの情報を取得し、
過去になされた検査の情報、検査を受けた患者の属性情報、検査を実施した医師の情報の少なくとも１つの情報と対応付けて、検査を実施した際の検査関連項目を記憶する第２記憶部から、前記取得する処理で取得した情報と同一又は類似する情報に対応付けられている検査関連項目を抽出し、前記入力候補に対する変更候補として出力する、
処理をコンピュータに実行させるための検査情報入力支援プログラム。
【請求項２】
前記変更候補として出力する処理では、抽出した前記検査関連項目に対応付けられている情報が前記取得する処理で取得した情報と類似する順に、抽出した前記検査関連項目を並べ替えて出力する、ことを特徴とする請求項１に記載の検査情報入力支援プログラム。
【請求項３】
前記入力候補の属性の指定及び指定された属性の入力候補を変更する指示を受け付けると、
前記変更候補として出力する処理では、前記取得する処理で取得した情報と同一又は類似する情報に対応付けられている検査関連項目のうち、指定された属性の検査関連項目を抽出し、前記変更候補として出力する、ことを特徴とする請求項１又は２に記載の検査情報入力支援プログラム。
【請求項４】
ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力し、
出力した前記入力候補を変更する指示を受け付けると、前記ある患者に対してなされた検査の情報、前記ある患者の属性情報、検査を実施した医師の識別情報の少なくとも１つの情報を取得し、
過去になされた検査の情報、検査を受けた患者の属性情報、検査を実施した医師の情報の少なくとも１つの情報と対応付けて、検査を実施した際の検査関連項目を記憶する第２記憶部から、前記取得する処理で取得した情報と同一又は類似する情報に対応付けられている検査関連項目を抽出し、前記入力候補に対する変更候補として出力する、
処理をコンピュータに実行させるための検査情報入力支援方法。
【請求項５】
ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力する第１出力部と、
出力した前記入力候補を変更する指示を受け付けると、前記ある患者に対してなされた検査の情報、前記ある患者の属性情報、検査を実施した医師の識別情報の少なくとも１つの情報を取得する取得部と、
過去になされた検査の情報、検査を受けた患者の属性情報、検査を実施した医師の情報の少なくとも１つの情報と対応付けて、検査を実施した際の検査関連項目を記憶する第２記憶部から、前記取得部が取得した情報と同一又は類似する情報に対応付けられている検査関連項目を抽出し、前記入力候補に対する変更候補として出力する第２出力部と、
を備える検査情報入力支援装置。
【発明の詳細な説明】
【技術分野】
【０００１】
本発明は、検査情報入力支援プログラム、検査情報入力支援方法及び検査情報入力支援装置に関する。
【背景技術】
【０００２】
実施された検査情報を医療事務会計システムに登録する場合、看護師は実施された検査の手技、加算、薬品、器材などの検査関連項目を入力する必要がある。医療事務会計システムでは、検査関連項目の入力を簡単にするためにマスタが用意されており、看護師は実施された検査の検査関連項目をマスタから探し出し、選択入力する。
【０００３】
なお、内視鏡検査で使用した薬剤や器材を画像認識により検出し、入力操作を補助する技術や、使用した検査装置の情報を取得してデータベースを作成する技術が知られている（例えば、特許文献１、２等参照）。
【先行技術文献】
【特許文献】
【０００４】
【特許文献１】特開２０１６−６２４８８号公報
【特許文献２】特開２００５−１１８０７４号公報
【発明の概要】
【発明が解決しようとする課題】
【０００５】
実施された検査ごとに看護師が選択する頻度の高い項目（定型項目）がある場合、定型項目をまとめておき、一括選択できるようにすることで、入力の簡易化を図ることが可能である。しかしながら、選択頻度の低い項目については、依然として膨大なマスタから探し出す必要がある。
【０００６】
１つの側面では、本発明は、検査情報を容易に入力することが可能な検査情報入力支援プログラム、検査情報入力支援方法及び検査情報入力支援装置を提供することを目的とする。
【課題を解決するための手段】
【０００７】
一つの態様では、検査情報入力支援プログラムは、ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力し、出力した前記入力候補を変更する指示を受け付けると、前記ある患者に対してなされた検査の情報、前記ある患者の属性情報、検査を実施した医師の識別情報の少なくとも１つの情報を取得し、過去になされた検査の情報、検査を受けた患者の属性情報、検査を実施した医師の情報の少なくとも１つの情報と対応付けて、検査を実施した際の検査関連項目を記憶する第２記憶部から、前記取得する処理で取得した情報と同一又は類似する情報に対応付けられている検査関連項目を抽出し、前記入力候補に対する変更候補として出力する、処理をコンピュータに実行させるためのプログラムである。
【発明の効果】
【０００８】
検査情報を容易に入力することができる。
【図面の簡単な説明】
【０００９】
【図１】一実施形態に係る医療事務会計システムの構成を概略的に示す図である。
【図２】図２（ａ）は、処理サーバ及びデータサーバのハードウェア構成の一例を示す図であり、図２（ｂ）は、利用者端末のハードウェア構成の一例を示す図である。
【図３】医療事務会計システムの機能ブロック図である。
【図４】図４（ａ）は、診療項目情報テーブルのデータ構造の一例を示す図であり、図４（ｂ）は、検査関連項目テーブルのデータ構造の一例を示す図である。
【図５】検査履歴ＤＢのデータ構造の一例を示す図である。
【図６】処理サーバの処理を示すフローチャートである。
【図７】図６のステップＳ１２の詳細処理を示すフローチャートである。
【図８】図６のステップＳ２２の詳細処理を示すフローチャートである。
【図９】実施入力画面を示す図である。
【図１０】項目入力画面を示す図（その１）である。
【図１１】項目入力画面を示す図（その２）である。
【図１２】項目入力画面を示す図（その３）である。
【図１３】項目入力画面を示す図（その４）である。
【図１４】図１４（ａ）〜図１４（ｃ）は、候補リストの種別として、手技、加算、器材が特定された場合の変更候補の例を示す図である。
【図１５】実施入力画面（検査関連項目入力欄にデータが入力された状態）を示す図である。
【発明を実施するための形態】
【００１０】
以下、医療事務会計システムの一実施形態について、図１〜図１５に基づいて詳細に説明する。図１には、一実施形態に係る医療事務会計システム１００の構成が概略的に示されている。
【００１１】
医療事務会計システム１００は、図１に示すように、検査情報入力支援装置としての処理サーバ１０と、データサーバ５０と、利用者端末７０と、を備える。処理サーバ１０、データサーバ５０、及び利用者端末７０は、インターネットやＬＡＮ（Local Area Network）などのネットワーク８０に接続されている。
【００１２】
処理サーバ１０は、医療事務に関する各種処理を実行する。例えば、処理サーバ１０は、利用者端末７０に対して診察や検査に関する入力を行うための画面を提供し、画面上で入力された情報を取得してデータサーバ５０において管理する。また、処理サーバ１０は、看護師等が利用者端末７０を用いて検査（例えば内視鏡検査）に関する登録を行う場合に、入力を支援する画面を表示する。本実施形態では、看護師が、実施された検査についての検査関連項目（手技、薬品、加算、器材）を登録する場合に、処理サーバ１０が入力支援を実行するものとする。
【００１３】
図２（ａ）には、処理サーバ１０のハードウェア構成が示されている。図２（ａ）に示すように、処理サーバ１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７、及び可搬型記憶媒体用ドライブ９９等を備えている。これら処理サーバ１０の構成各部は、バス９８に接続されている。処理サーバ１０では、ＲＯＭ９２あるいはＨＤＤ９６に格納されているプログラム（検査情報入力支援プログラムを含む）、或いは可搬型記憶媒体用ドライブ９９が可搬型記憶媒体９１から読み取ったプログラム（検査情報入力支援プログラムを含む）をＣＰＵ９０が実行することにより、図３に示す各部の機能が実現される。なお、図３に示す各部の機能の詳細については、後述する。
【００１４】
データサーバ５０は、各種データを管理するサーバである。データサーバ５０は、処理サーバ１０と同様の構成（図２（ａ）参照）を有する。データサーバ５０では、一例として、図３に示す診療項目情報テーブル５２、第１記憶部としての検査関連項目テーブル５４、電子カルテＤＢ（database）５６、第２記憶部としての検査履歴ＤＢ５８をＨＤＤ９６等において保持している。
【００１５】
ここで、診療項目情報テーブル５２は、後述する項目入力画面において表示する診療項目の表示名称を格納するテーブルであり、図４（ａ）に示すように、「グループＩＤ」、「階層ナンバー」、「表示名称」の各フィールドを有する。「グループＩＤ」のフィールドは、表示名称のグループの識別情報を格納するフィールドである。「階層ナンバー」のフィールドには、「１」又は「２」が格納され、「１」が格納されている場合には、グループ内の１番目の階層（親）を意味し、「２」が格納されている場合には、グループ内の２番目の階層（子）を意味する。「表示名称」のフィールドには、表示名称そのものが格納される。ここで、１番目の階層（親）は、診療の区分を意味し、２番目の階層（子）は、実施手技を意味する。なお、各グループには、１番目の階層（親）の表示名称が１つ含まれ、それ以外が２番目の階層（子）の表示名称である。
【００１６】
検査関連項目テーブル５４は、階層ナンバーが「２」の表示名称（実施手技）に対応して、看護師により頻繁に選択される検査関連項目（薬品、加算、器材、手技）を格納するテーブルである。検査関連項目テーブル５４は、図４（ｂ）に示すように、「表示名称」、「項目区分」、「項目内容」、「数値」、「単位」の各フィールドを有する。「表示名称」のフィールドには、図４（ａ）の診療項目情報テーブル５２の階層ナンバーが「２」の表示名称（実施手技の表示名称）が格納される。「項目区分」のフィールドには、薬品、加算、器材、手技のいずれかが格納される。「項目内容」のフィールドには、薬品の名称や加算の名称、器材の名称、手技の名称が格納される。「数値」、「単位」のフィールドには、薬品や器材の数値（数量）及び単位が格納される。なお、本実施形態では、検査関連項目テーブル５４は、手技、加算、薬品、器材の少なくとも１つを含む検査関連項目を検査（実施手技）に対応付けて記憶しているといえる。
【００１７】
電子カルテＤＢ（database）５６は、電子カルテのデータを格納するデータベースである。電子カルテのデータには、患者の属性情報、患者の診察情報、検査情報、担当医師の情報等が含まれる。
【００１８】
検査履歴ＤＢ５８は、実施された検査の履歴情報を格納するデータベースである。検査履歴ＤＢ５８は、図５に示すようなデータ構造を有する。具体的には、検査履歴ＤＢ５８は、「実施日」、「オーダ情報（項目、詳細項目）」、「実施手技」、「実施医」、「患者年齢」、「性別」、「入外」、「項目区分」、「項目名」の各フィールドを有する。「実施日」のフィールドには、実際に検査が行われた年月日の情報が格納され、「オーダ情報（項目、詳細項目）」のフィールドには、医師から出された検査オーダの情報が格納される。オーダ情報（項目）は、「通常内視鏡」などの検査手法を示す情報であり、オーダ情報（詳細項目）は、「上部消化管」などの検査箇所を示す情報である。「実施手技」は、実際に検査で実行された手技の情報が格納される。「実施医」のフィールドには、実施医の氏名等が格納され、「患者年齢」、「性別」、「入外」のフィールドには、患者の年齢、性別、入院又は外来の情報が格納される。「項目区分」のフィールドには、検査関連項目の種別（手技、薬品、加算、器材のいずれか）が格納され、「項目名」のフィールドには、実施した検査における、検査関連項目（手技、薬品、加算、器材）の具体的な情報（薬品名など）が格納される。なお、本実施形態では、検査履歴ＤＢ５８は、過去になされた検査の情報、検査を受けた患者の属性情報、検査を実施した医師の情報と対応付けて、検査を実施した際の検査関連項目を記憶しているといえる。
【００１９】
利用者端末７０は、看護師や医師、医療事務従事者が利用する端末であり、ＰＣ（Personal Computer）やタブレット型端末等であるものとする。図２（ｂ）には、利用者端末７０のハードウェア構成が示されている。図２（ｂ）に示すように、利用者端末７０は、ＣＰＵ１９０、ＲＯＭ１９２、ＲＡＭ１９４、記憶部（ＨＤＤ）１９６、ネットワークインタフェース１９７、表示部１９３、入力部１９５、及び可搬型記憶媒体用ドライブ１９９等を備えている。これら利用者端末７０の構成各部は、バス１９８に接続されている。表示部１９３は、液晶ディスプレイ等を含み、入力部１９５は、キーボードやマウス、タッチパネル等を含む。利用者端末７０では、ＲＯＭ１９２あるいはＨＤＤ１９６に格納されているプログラム、或いは可搬型記憶媒体用ドライブ１９９が可搬型記憶媒体１９１から読み取ったプログラムをＣＰＵ１９０が実行することにより、図３に示す表示処理部７２、入力処理部７４、及び通信部７６としての機能が実現されている。表示処理部７２は、例えば、通信部７６を介して処理サーバ１０から画面のデータを取得し、取得した画面のデータに基づいて、表示部１９３に画面を表示する。入力処理部７４は、例えば、入力部１９５を介して画面に入力された情報や操作の情報を取得し、取得した情報を通信部７６を介して処理サーバ１０に送信する。
【００２０】
（処理サーバ１０の機能）
次に、図３に示す処理サーバ１０の各機能について説明する。
【００２１】
図３に示すように、処理サーバ１０は、ＣＰＵ９０がプログラムを実行することにより、実施入力画面生成部２０、第１出力部としての項目入力画面生成部２２、取得部及び第２出力部としての変更候補抽出部２４、検査履歴格納部２６、及び通信部２８として機能する。なお、図３においては、医師等により実施された検査の情報を看護師が入力するのを支援する機能について図示している。すなわち、処理サーバ１０は、実際には、その他の処理を実現するための種々の機能を有しているが、図３ではそれらについての図示を省略している。
【００２２】
実施入力画面生成部２０は、電子カルテＤＢ５６を参照して、実施された検査の情報を入力するための画面（実施入力画面（図９、図１５参照））を生成し、生成した画面のデータを通信部２８を介して利用者端末７０に送信する。
【００２３】
項目入力画面生成部２２は、利用者端末７０を利用する看護師からの要求に応じて、項目入力画面（図１０参照）を生成し、生成した画面のデータを通信部２８を介して利用者端末７０に送信する。また、項目入力画面生成部２２は、利用者端末７０における看護師の操作に応じて、項目入力画面を適宜生成しなおし（図１１、図１２参照）、生成しなおした画面のデータを通信部２８を介して利用者端末７０に送信する。項目入力画面生成部２２は、項目入力画面を生成する際に、診療項目情報テーブル５２及び検査関連項目テーブル５４を参照する。ここで、項目入力画面は、看護師が実施した検査の検査関連項目を実施入力画面に入力する際に、入力を簡単にするための入力支援画面である。
【００２４】
変更候補抽出部２４は、利用者端末７０を利用する看護師からの要求に応じて、電子カルテＤＢ５６及び検査履歴ＤＢ５８を参照し、項目入力画面に表示されている検査関連項目に追加される可能性の高い検査関連項目（変更候補）を抽出する。また、変更候補抽出部２４は、抽出した変更候補を表示した項目入力画面（図１３参照）を生成し、生成した画面のデータを通信部２８を介して利用者端末７０に送信する。
【００２５】
検査履歴格納部２６は、実施入力画面に入力された検査情報を通信部２８を介して利用者端末７０から受信すると、受信した検査情報を検査履歴ＤＢ５８に格納する。
【００２６】
通信部２８は、通信部７６と通信を行い、処理サーバ１０と利用者端末７０との間でデータのやり取りを行う。
【００２７】
（入力支援処理）
以下、処理サーバ１０による入力支援処理について、図６〜図８のフローチャートに沿って、その他図面を適宜参照しつつ詳細に説明する。なお、図６の処理が実施される前提として、実施入力画面生成部２０は、医師からのオーダ情報に基づいて実施された検査の情報を登録する看護師からの要求に応じて、図９の実施入力画面を生成し、生成した画面のデータを通信部２８を介して利用者端末７０に送信しているものとする。そして、利用者端末７０の表示処理部７２は、実施入力画面のデータに基づいて、表示部１９３に図９の実施入力画面を表示する。ここで、図９の実施入力画面には、例えば、検査関連項目入力欄２０１が設けられており、看護師は欄２０１に、実施された検査の検査関連項目（手技、薬品、加算、器材）を入力する。
【００２８】
なお、利用者端末７０の入力処理部７４は、看護師が入力部１９５を介して項目入力画面の表示要求操作（例えば、図９のマウスポインタの近傍（実施入力画面の検査関連項目入力欄２０１内）における右クリック）を行った場合に、当該操作がなされた旨の情報を通信部７６を介して処理サーバ１０に通知する。
【００２９】
図６の処理では、まず、ステップＳ１０において、項目入力画面生成部２２が、実施入力画面において項目入力画面の表示要求操作がなされるまで待機する。看護師による入力部１９５を介した表示要求操作がなされ、当該操作がなされた旨の情報が入力処理部７４から項目入力画面生成部２２に対して送信されると、項目入力画面生成部２２は、ステップＳ１２に移行する。
【００３０】
ステップＳ１２に移行すると、項目入力画面生成部２２は、項目入力画面の表示処理のサブルーチンを実行する。具体的には、項目入力画面生成部２２は、図７の処理を実行する。
【００３１】
（項目入力画面の表示処理）
図７のステップＳ５２では、項目入力画面生成部２２は、診療項目情報テーブル５２から階層ナンバー「１」の情報を抽出し、抽出した情報を左欄に表示した項目入力画面を表示する。ここで、本実施形態では、項目入力画面には、図１０に示すように、左欄２１１、中欄２１２、右欄２１３、追加ボタン２１４、削除ボタン２１５、確定ボタン２１６が設けられている。したがって、ステップＳ５２では、項目入力画面生成部２２は、診療項目情報テーブル５２（図４（ａ））から、階層ナンバーが「１」の表示名称（区分）をすべて抽出し、抽出した表示名称を左欄２１１に表示した項目入力画面（図１０）を生成する。なお、項目入力画面生成部２２は、左欄２１１の最下部に［薬品候補リスト］、［手技候補リスト］、［加算候補リスト］、［器材候補リスト］を追加しておく。そして、項目入力画面生成部２２は、生成した項目入力画面のデータを通信部２８を介して利用者端末７０に送信する。利用者端末７０の表示処理部７２は、項目入力画面のデータを受信すると、受信したデータに基づいて、表示部１９３に項目入力画面を表示する。
【００３２】
次いで、ステップＳ５４では、項目入力画面生成部２２は、左欄２１１内の情報の１つが選択されるまで待機する。例えば、看護師が、図１０の項目入力画面の左欄２１１の最も上の表示「［手技＋セット］胃・十二指腸内視鏡」を選択したとする（図１０のマウスポインタ参照）。この場合、入力処理部７４は、「［手技＋セット］胃・十二指腸内視鏡」が選択された旨を項目入力画面生成部２２に通知する。このような通知があった場合、項目入力画面生成部２２は、ステップＳ５６に移行する。
【００３３】
ステップＳ５６に移行すると、項目入力画面生成部２２は、診療項目情報テーブル５２から選択された情報に対応する階層ナンバー「２」の情報（実施手技）を抽出し、項目入力画面の中欄２１２に表示する。上記のように、「［手技＋セット］胃・十二指腸内視鏡」が選択された場合には、「［手技＋セット］胃・十二指腸内視鏡」と同一のグループＩＤで、階層ナンバーが「２」の表示名称（手技）をすべて抽出する。そして、項目入力画面生成部２２は、抽出した表示名称（手技）を中欄２１２に記載した項目入力画面（図１１参照）を生成し、生成した画面のデータを利用者端末７０に送信して、表示部１９３に表示させる。
【００３４】
次いで、ステップＳ５８では、項目入力画面生成部２２が、中欄２１２内の情報の１つが選択されるまで待機する。例えば、看護師が、図１１の項目入力画面の中欄２１２の最も上の表示「経口  胃・十二指腸ファイバースコピー」を選択したとする（図１１のマウスポインタ参照）。この場合、入力処理部７４は、「経口  胃・十二指腸ファイバースコピー」が選択された旨を項目入力画面生成部２２に通知する。このような通知があった場合、項目入力画面生成部２２は、ステップＳ６０に移行する。
【００３５】
ステップＳ６０に移行すると、項目入力画面生成部２２は、検査関連項目テーブル５４から、選択された情報に対応する項目内容、数値、単位の情報をすべて抽出し、項目入力画面の右欄２１３に表示する。上記のように「経口  胃・十二指腸ファイバースコピー」が選択された場合には、項目入力画面生成部２２は、検査関連項目テーブル５４において、「経口  胃・十二指腸ファイバースコピー」に対応付けて記憶されている「項目内容」、「数値」、「単位」を抽出する。そして、項目入力画面生成部２２は、抽出した情報を右欄２１３に記載した項目入力画面（図１２参照）を生成し、生成した画面のデータを利用者端末７０に送信して、表示部１９３に表示させる。この場合、図１２の項目入力画面の右欄２１３には、左欄２１１で選択された区分、中欄２１２で選択された手技に対応する、頻繁に選択される薬品、加算、器材の情報が表示されている。この右欄２１３に表示されている情報は、実施入力画面に入力する情報の候補（入力候補）である。このように、図７の処理では、看護師がある患者に対してなされた検査を左欄２１１及び中欄２１２において選択した場合に、選択された検査に対応する検査関連項目を検査関連項目テーブル５４から抽出して、入力候補として出力しているといえる。
【００３６】
以上のようにして、ステップＳ６０までの処理が終了すると、図７の全処理を終了し、図６のステップＳ１４に移行する。
【００３７】
ステップＳ１４に移行すると、項目入力画面生成部２２は、項目入力画面に設けられている確定ボタン２１６が押されたか否かを判断する。すなわち、項目入力画面生成部２２は、入力処理部７４から確定ボタン２１６がクリックされた旨の通知があったか否かを判断する。このステップＳ１４の判断が否定されると、ステップＳ１６に移行する。
【００３８】
ステップＳ１６に移行すると、項目入力画面生成部２２は、項目入力画面に設けられている削除ボタン２１５が押されたか否かを判断する。すなわち、項目入力画面生成部２２は、入力処理部７４から削除ボタン２１５がクリックされた旨の通知があったか否かを判断する。このステップＳ１６の判断が肯定された場合には、ステップＳ１８に移行し、否定された場合には、ステップＳ２０に移行する。なお、看護師は、右欄２１３内に削除したい検査関連項目がある場合、削除したい検査関連項目（項目内容）を選択した状態で、「削除」ボタン２１５を押す。
【００３９】
ステップＳ１６の判断が肯定され、ステップＳ１８に移行した場合、項目入力画面生成部２２は、右欄２１３から選択されている情報を削除する。この場合、項目入力画面生成部２２は、右欄２１３から選択されている情報を削除した項目入力画面を生成し、生成した画面を利用者端末７０に送信して、表示部１９３に表示させる。その後は、ステップＳ２０に移行する。
【００４０】
ステップＳ２０に移行すると、変更候補抽出部２４は、候補リストのいずれかが選択されたか否かを判断する。なお、看護師は、例えば、図１２の右欄２１３に薬品を追加したい場合には、左欄２１１内の［薬品候補リスト］を選択する（図１２のマウスポインタの位置でダブルクリック等する）。また、図１２の右欄２１３に手技、加算又は器材を追加したい場合には、左欄２１１内の［手技候補リスト］、［加算候補リスト］又は［器材候補リスト］を選択する。看護師等が、図１２の項目入力画面において、［薬品候補リスト］、［手技候補リスト］、［加算候補リスト］、［器材候補リスト］のいずれかを選択し、入力処理部７４からその旨が変更候補抽出部２４に通知されると、ステップＳ２０の判断が肯定され、ステップＳ２２に移行する。なお、ステップＳ２０の判断が否定された場合には、ステップＳ１４に戻る。
【００４１】
ステップＳ２２に移行した場合、変更候補抽出部２４は、変更候補の表示処理のサブルーチンを実行する。具体的には、図８のフローチャートに沿った処理が実行される。
【００４２】
（変更候補の表示処理）
図８の処理では、まず、ステップＳ７０において、変更候補抽出部２４は、候補リストの種別を特定する。すなわち、変更候補抽出部２４は、看護師が［薬品候補リスト］、［手技候補リスト］、［加算候補リスト］、［器材候補リスト］のいずれを選択したかに基づいて、候補リストの種別として「薬品」、「手技」、「加算」、「器材」のいずれかを特定する。ここでは、一例として、「薬品」が特定されたものとする。なお、看護師が［薬品候補リスト］、［手技候補リスト］、［加算候補リスト］、［器材候補リスト］のいずれかを選択する行為は、種別（属性）を指定して、指定した種別の入力候補を変更する指示を入力する行為であるといえる。
【００４３】
次いで、ステップＳ７２では、変更候補抽出部２４は、電子カルテＤＢ５６を参照して、実施された検査のオーダ情報、実施医の識別情報、患者の属性情報を取得する。例えば、オーダ情報としては、「通常内視鏡  上部消化管」や実施手技「上部消化管内視鏡検査（胃・十二指腸まで）」が取得され、実施医の識別情報として「Ａ医師」が取得される。また、患者の属性情報としては、患者年齢「２０代」、患者性別「男」、入外区分「外来」が取得される。
【００４４】
次いで、ステップＳ７４では、変更候補抽出部２４は、検査履歴ＤＢ５８を参照し、取得した情報と同一又は類似する情報と関連付けられている項目名（検査関連項目の名称）のうち、ステップＳ７０で特定された種別と同一の項目区分である項目名を抽出する。図５の検査履歴ＤＢ５８では、実施日「2016/11/8」のデータのオーダ情報、実施医の識別情報、患者の属性情報は、ステップＳ７２で取得したオーダ情報、実施医の識別情報、患者の属性情報と同一である。また、実施日「2016/5/7」のデータのオーダ情報、実施医の識別情報、患者の属性情報は、ステップＳ７２で取得したオーダ情報、実施医の識別情報、患者の属性情報と１つだけ異なる（患者年齢のみ異なる）ため、類似する。なお、本実施形態では、オーダ情報、実施医の識別情報、患者の属性情報のうち異なる情報の数が所定数（例えば２つ）以下である場合に、類似すると判断する。このため、異なる情報の数が４つである実施日「2016/5/8」のデータは類似していないと判断する。したがって、本ステップＳ７４では、変更候補抽出部２４は、実施日「2016/11/8」のデータと実施日「2016/5/7」のデータに含まれる項目名のうち、項目区分が「薬品」であるものをすべて抽出する。
【００４５】
次いで、ステップＳ７５では、変更候補抽出部２４は、ステップＳ７４で抽出した項目名のうち、項目入力画面の右欄２１３に存在する項目名を除外する。この場合、実施日「2016/11/8」のデータと実施日「2016/5/7」のデータに含まれる薬品から、図１２の項目入力画面の右欄２１３に存在する薬品を除外することになる。なお、本処理により、実施日「2016/11/8」のデータに含まれる薬品「キシロカインスプレー８０ｇ／本」と、実施日「2016/5/7」のデータに含まれる薬品「ペンタジン注１５ｍｇ／１ｍｌ」が残ったものとする。
【００４６】
次いで、ステップＳ７６では、変更候補抽出部２４は、抽出した情報を並べ替える。この場合、変更候補抽出部２４は、実施日「2016/11/8」のデータと実施日「2016/5/7」のデータのうち、オーダ情報、実施医の識別情報、患者の属性情報が、ステップＳ７２で取得したオーダ情報、実施医の識別情報、患者の属性情報と類似する度合い（類似度）が高い方のデータに含まれていた薬品が上位になるように並べ替える。上記の例では、実施日「2016/11/8」のデータに「キシロカインスプレー８０ｇ／本」が含まれ、実施日「2016/5/7」のデータに「ペンタジン注１５ｍｇ／１ｍｌ」が含まれているので、「キシロカインスプレー８０ｇ／本」、「ペンタジン注１５ｍｇ／１ｍｌ」の順に並べ替える。
【００４７】
次いで、ステップＳ７８では、変更候補抽出部２４は、並べ替えた情報を項目入力画面の中欄２１２に表示する。この場合、変更候補抽出部２４は、図１３に示すように、中欄２１２にステップＳ７６で並べ替えた情報を表示した項目入力画面を生成し、生成した画面のデータを利用者端末７０に送信して、表示部１９３に表示させる。なお、中欄２１２に表示されている変更候補は、今回実施した検査と類似する状況で行われた検査において用いられた薬品（頻繁に用いられる薬品以外の薬品）である。したがって、今回実施した検査で用いられた可能性の高い薬品（看護師が入力する可能性の高い薬品）が中欄２１２に表示されているといえる。
【００４８】
なお、ステップＳ７０において、候補リストとして「手技」が特定された場合には、図１４（ａ）に示すように変更候補として手技の変更候補が中欄２１２に表示される。また、候補リストとして「加算」が特定された場合には、図１４（ｂ）に示すように変更候補として加算の変更候補が中欄２１２に表示され、候補リストとして「器材」が特定された場合には、図１４（ｃ）に示すように変更候補として器材の変更候補が中欄２１２に表示される。
【００４９】
以上のように、ステップＳ７８までの処理が実行された後は、図８の全処理を終了し、図６のステップＳ２４に移行する。なお、図８の処理においては、ステップＳ７２の処理が、電子カルテＤＢ５６から、ある患者に対してなされた検査の情報、ある患者の属性情報、検査を実施した医師の識別情報を取得する処理であるといえる。また、ステップＳ７４の処理が、検査履歴ＤＢ５８から取得した情報と同一又は類似する情報に対応付けられている検査関連項目を抽出する処理であり、ステップＳ７８の処理が、入力候補に対する変更候補として出力する処理であるといえる。
【００５０】
図６に戻り、ステップＳ２４に移行すると、項目入力画面生成部２２は、追加操作がなされたか否かを判断する。この場合、項目入力画面生成部２２は、入力処理部７４から変更項目のいずれかがダブルクリックされた旨の通知があったか、又は変更項目のいずれかが選択された状態で追加ボタン２１４がクリックされた旨の通知があったか否かを判断する。このステップＳ２４の判断が肯定された場合には、ステップＳ２６に移行し、否定された場合には、ステップＳ１４に戻る。
【００５１】
ステップＳ２６に移行すると、項目入力画面生成部２２が、追加操作された項目名（検査関連項目の名称）を右欄２１３に追加する。すなわち、項目入力画面生成部２２は、追加操作された薬品を右欄２１３に追加した項目入力画面を生成し、生成した画面のデータを利用者端末７０に送信して、表示部１９３に表示させる。その後は、ステップＳ１４に戻る。
【００５２】
ステップＳ１４に戻ると、ステップＳ１４〜Ｓ２６の処理、判断が、ステップＳ１４の判断が肯定されるまで繰り返し実行される。そして、ステップＳ１４の判断が肯定された場合には、ステップＳ２８に移行する。なお、看護師は、項目入力画面の右欄２１３の情報が実施された検査の内容と合致していると判断した場合には、確定ボタン２１６をクリックするため、この段階でステップＳ１４の判断が肯定されることになる。
【００５３】
ステップＳ２８に移行すると、実施入力画面生成部２０は、項目入力画面の右欄２１３内の情報を実施入力画面の検査関連項目入力欄２０１に反映させる。この場合、実施入力画面生成部２０は、図１５に示すような実施入力画面を生成し、生成した画面のデータを利用者端末７０に送信して、表示部１９３に表示させる。なお、看護師は、実施入力画面においてステップＳ２６で追加された薬品等の数値や単位を入力することができる。
【００５４】
次いで、ステップＳ３０では、項目入力画面生成部２２が、項目入力画面を消去する。なお、ステップＳ２８とＳ３０の処理順は逆であってもよいし、同時に行われてもよい。
【００５５】
以上により、図６の全処理が終了する。なお、看護師により実施入力画面（図１２）に各種情報が入力され、保存操作が行われた場合には、検査履歴格納部２６は、実施入力画面に入力された情報から必要な情報を抽出し、検査履歴ＤＢ５８に格納する。
【００５６】
以上、詳細に説明したように、本実施形態によると、項目入力画面生成部２２は、患者に対してなされた検査の選択を、項目入力画面の左欄２１１及び中欄２１２において受け付けると（Ｓ５４：肯定、Ｓ５８：肯定）、検査関連項目テーブル５４を参照して、選択を受け付けた検査に対応する検査関連項目（手技、薬品、加算、器材）を入力候補として項目入力画面の右欄２１３に表示する（Ｓ１２、Ｓ６０）。そして、変更候補抽出部２４は、候補リストの表示要求（右欄２１３への検査関連項目の追加要求）を受け付けると（Ｓ２０：肯定）、今回の検査の情報、患者の属性情報、今回の検査を実施した医師の識別情報を取得し（Ｓ７２）、検査履歴ＤＢ５８から、取得した情報と同一又は類似する情報に対応付けられている検査関連項目を抽出し、変更候補として中欄２１２に表示する（Ｓ７８）。これにより、本実施形態では、項目入力画面の右欄２１３に表示された検査関連項目を変更（追加）したい場合に、変更候補として、今回の検査と同一又は類似する状況で行われた検査の検査関連項目を表示するので、看護師が入力候補（右欄２１３）に追加する可能性の高い変更候補を看護師に提示することが可能である。したがって、看護師は、変更候補の中から入力候補に追加する検査関連項目を選択することで、実施入力画面に検査関連項目を容易に入力することが可能となる。この場合、膨大なマスタから検査関連項目を探し出す必要がないため、看護師の労力を軽減することが可能となる。
【００５７】
また、本実施形態では、変更候補を表示する際に、抽出した検査関連項目に対応付けられている情報が取得した検査の情報、患者の属性情報、医師の識別情報と類似する順に、抽出した検査関連項目を並べ替えて表示する（Ｓ７６、Ｓ７８）。これにより、看護師が選択する可能性の高い検査関連項目を、選択しやすい位置に表示することができる。
【００５８】
また、本実施形態では、看護師が選択した候補リストの種別（薬品、手技、加算、又は器材）に基づいて、変更候補を表示するため、看護師が必要な変更候補のみを看護師に提供することが可能である。
【００５９】
なお、上記実施形態では、変更候補の表示順を決定する方法として、上述した類似度を用いる方法とは異なる方法を採用することもできる。例えば、「オーダ情報」、「実施手技」、「実施医」、「患者年齢」、「性別」、「入外」の各情報に重みづけ係数を設定しておき、今回の検査と同一の情報の値を「１」、異なる情報の値を「０」とし、重みづけ係数と値の積の総和の大小に基づいて、変更候補の表示順を決定することとしてもよい。これにより、「オーダ情報」、「実施手技」などの各情報の重要度を考慮して、表示順を決定することができるようになる。
【００６０】
なお、上記実施形態では、検査関連項目が、手技、加算、薬品、器材である場合について説明したが、これに限らず、検査関連項目は、手技、加算、薬品、器材の少なくとも１つを含んでいればよい。また、図８のステップＳ７２では、オーダ情報、実施医の識別情報、患者の属性情報を取得する場合について説明したが、これに限らず、オーダ情報、実施医の識別情報、患者の属性情報の少なくとも１つを取得すればよい。
【００６１】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００６２】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００６３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００６４】
上述した実施形態は本発明の好適な実施の例である。但し、これに限定されるものではなく、本発明の要旨を逸脱しない範囲内において種々変形実施可能である。
【００６５】
なお、以上の実施形態の説明に関して、更に以下の付記を開示する。
（付記１）  ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力し、
出力した前記入力候補を変更する指示を受け付けると、前記ある患者に対してなされた検査の情報、前記ある患者の属性情報、検査を実施した医師の識別情報の少なくとも１つの情報を取得し、
過去になされた検査の情報、検査を受けた患者の属性情報、検査を実施した医師の情報の少なくとも１つの情報と対応付けて、検査を実施した際の検査関連項目を記憶する第２記憶部から、前記取得する処理で取得した情報と同一又は類似する情報に対応付けられている検査関連項目を抽出し、前記入力候補に対する変更候補として出力する、
処理をコンピュータに実行させるための検査情報入力支援プログラム。
（付記２）  前記変更候補として出力する処理では、抽出した前記検査関連項目に対応付けられている情報が前記取得する処理で取得した情報と類似する順に、抽出した前記検査関連項目を並べ替えて出力する、ことを特徴とする付記１に記載の検査情報入力支援プログラム。
（付記３）  前記入力候補の属性の指定及び指定された属性の入力候補を変更する指示を受け付けると、
前記変更候補として出力する処理では、前記取得する処理で取得した情報と同一又は類似する情報に対応付けられている検査関連項目のうち、指定された属性の検査関連項目を抽出し、前記変更候補として出力する、ことを特徴とする付記１又は２に記載の検査情報入力支援プログラム。
（付記４）  ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力し、
出力した前記入力候補を変更する指示を受け付けると、前記ある患者に対してなされた検査の情報、前記ある患者の属性情報、検査を実施した医師の識別情報の少なくとも１つの情報を取得し、
過去になされた検査の情報、検査を受けた患者の属性情報、検査を実施した医師の情報の少なくとも１つの情報と対応付けて、検査を実施した際の検査関連項目を記憶する第２記憶部から、前記取得する処理で取得した情報と同一又は類似する情報に対応付けられている検査関連項目を抽出し、前記入力候補に対する変更候補として出力する、
処理をコンピュータに実行させるための検査情報入力支援方法。
（付記５）  ある患者に対してなされた検査の選択を受け付けると、手技、加算、薬品、器材の少なくとも１つを含む検査関連項目を検査に対応付けて記憶した第１記憶部を参照して、選択を受け付けた前記検査に対応する前記検査関連項目を入力候補として出力する第１出力部と、
出力した前記入力候補を変更する指示を受け付けると、前記ある患者に対してなされた検査の情報、前記ある患者の属性情報、検査を実施した医師の識別情報の少なくとも１つの情報を取得する取得部と、
過去になされた検査の情報、検査を受けた患者の属性情報、検査を実施した医師の情報の少なくとも１つの情報と対応付けて、検査を実施した際の検査関連項目を記憶する第２記憶部から、前記取得部が取得した情報と同一又は類似する情報に対応付けられている検査関連項目を抽出し、前記入力候補に対する変更候補として出力する第２出力部と、
を備える検査情報入力支援装置。
（付記６）  前記第２出力部は、抽出した前記検査関連項目に対応付けられている情報が前記取得部が取得した情報と類似する順に、抽出した前記検査関連項目を並べ替えて出力する、ことを特徴とする付記５に記載の検査情報入力支援装置。
（付記７）  前記取得部が、前記入力候補の属性の指定及び指定された属性の入力候補を変更する指示を受け付けると、
前記第２出力部は、前記取得部が取得した情報と同一又は類似する情報に対応付けられている検査関連項目のうち、指定された属性の検査関連項目を抽出し、前記変更候補として出力する、ことを特徴とする付記５又は６に記載の検査情報入力支援装置。
【符号の説明】
【００６６】
１０  処理サーバ（検査情報入力支援装置）
２２  項目入力画面生成部（第１出力部）
２４  変更候補抽出部（取得部、第２出力部）
５４  検査関連項目テーブル（第１記憶部）
５８  検査履歴ＤＢ（第２記憶部）
【図１】
2018156204.tif 000003
【図２】
2018156204.tif 000004
【図３】
2018156204.tif 000005
【図４】
2018156204.tif 000006
【図５】
2018156204.tif 000007
【図６】
2018156204.tif 000008
【図７】
2018156204.tif 000009
【図８】
2018156204.tif 000010
【図９】
2018156204.tif 000011
【図１０】
2018156204.tif 000012
【図１１】
2018156204.tif 000013
【図１２】
2018156204.tif 000014
【図１３】
2018156204.tif 000015
【図１４】
2018156204.tif 000016
【図１５】
2018156204.tif 000017